(57)【要約】【課題】  ネットワークを利用したセンサシステムにおいて、センサから通知が連続して発生した場合においても、効率良く必要な情報が親情報端末に届くシステムを提案すること。【解決手段】  センサ子機端末１内部に、検知したセンサ情報と、親情報端末２への通信が失敗したセンサ情報とを蓄積するセンサ情報蓄積部７と、再度通知すべきセンサ情報と最新のセンサ情報の優先順位の比較を行う優先順位判定部８とを備え、親情報端末２への通信が失敗した場合に、優先順位判定部８がセンサ情報蓄積部７に蓄積されたセンサ情報の優先順位に応じて親情報端末２へ通知を行うので、重要なセンサ情報をリアルタイムで親情報端末へ通知することが可能となる。【選択図】  図３
2005071007.tif 000002
【特許請求の範囲】
【請求項１】
センサと、検知したセンサ情報を親情報端末へ通知する通信手段から構成されるセンサ子機端末において、検知したセンサ情報を蓄積するセンサ情報蓄積部と、前記センサ情報蓄積部で蓄積されたセンサ情報の優先順位を判断する優先順位判定部と、前記親情報端末へ正常に検知情報を通知できたかどうかを判定し、通知失敗した場合はセンサ情報の再度通知を行う通信失敗判定部とを備え、前記優先順位判定部は、通知失敗した場合に、前記センサ情報蓄積部で蓄積された再度通知すべきセンサ情報と最新のセンサ情報の優先順位の比較を行い、優先順位に応じてセンサ情報の通知を行うことを特徴とするセンサシステム。
【請求項２】
優先順位判定部は、センサ情報蓄積部で蓄積された入力された複数のセンサ情報の優先順位の判定を行い、優先順位に応じてセンサ情報の通知を行う機能を備えた請求項１記載のセンサシステム。
【請求項３】
通信失敗判定部は時間計測部を備え、前記時間計測部で親情報端末からの受信すべき応答の返信時間を計測し、前記親情報端末からの応答を一定時間受信しなかった場合、再度通知する機能を備えた請求項１または請求項２記載のセンサシステム。
【請求項４】
通信失敗判定部は、通知直後に親情報端末から受信すべき情報とは異なる情報を受信した場合、再度通知する機能を備えた請求項１から請求項３のいずれか１項記載のセンサシステム。
【請求項５】
センサ情報蓄積部は、再度通知すべき情報と最新のセンサ検知情報を比較し、再度通知すべき情報と同一センサの情報が更新された場合、古いセンサ情報を破棄し最新のセンサ情報を蓄積する機能を備えた請求項１から請求項４のいずれか１項記載のセンサシステム。
【請求項６】
通信失敗判定部は報知手段を備え、判定された結果を報知する請求項１から請求項５記載のセンサシステム。
【請求項７】
コンピュータを請求項１から請求項６のいずれか１項記載のセンサシステムの少なくとも一部として機能させるためのプログラム。
【発明の詳細な説明】
【技術分野】
【０００１】
本発明は、ネットワークを介してセンサの検知した情報を通知する際に利用されるセンサシステムおよびそのプログラムに関するものである。
【背景技術】
【０００２】
近年、ネットワークが普及し、家電機器と親情報端末が通信を行い、ユーザが親情報端末を利用して遠隔操作により機器をコントロールしたり、機器からの通知情報を親情報端末を介してユーザが取得するネットワークシステムが構築されている。特にセキュリティ分野においては、外出中にセンサが検知した侵入検知や火災等の家庭での異常情報をリアルタイムで外部や外出中のユーザへ通報するシステムやサービスが提供されている。
【０００３】
このようなシステムは、家庭内に親情報端末を設置し、各機器に無線等の通信用のアダプタを搭載させ、機器やセンサの情報を無線等の通信媒体を介して親情報端末へ送信することにより実現されている。センサを利用するセキュリティシステムにおいては、図８に示すように侵入検知用の侵入検知センサ１１１、火災検知用の火災検知センサ１１２、高齢者等の身体異常検知用の身体異常検知センサ１１３を検知するセンサ検知手段４のそれぞれに通信アダプタ１２を搭載する構成となる。また、センサ検知手段４と通信アダプタ１３は異なるＣＰＵで構成される場合もある。
【０００４】
ここで、図８の構成のセンサシステムにおいて、センサ情報から親情報端末２への通信が失敗した場合、親情報端末２と通信アダプタ１２間、もしくはセンサ検知手段４と通信アダプタ１２間でセンサ情報を再度通知し、通信で行うセンサ情報の欠落を防ぐことになる。
【０００５】
従来、この種のネットワークシステムは他の通信機器のネットワークと同一のネットワーク内にセンサシステムを構築すると、センサ情報は他の機器情報よりも優先的に通知する必要があるため、送受信データに優先順位情報を組み込んだり（例えば、特許文献１参照）、親情報端末にセンサ情報を優先的に受信する装置や仕組みを搭載している（例えば、特許文献２参照）。
【特許文献１】特表平１１−５０９９９２号公報
【特許文献２】特開２００２−３６６３６５号公報
【発明の開示】
【発明が解決しようとする課題】
【０００６】
しかしながら、前記従来の手段を用いると、ネットワーク上に流れる送受信データのデータサイズが増大したり、センサ情報を優先的に受信する装置を親情報端末に特別に搭載する必要が発生し、容易にシステムを構成したり拡張したりすることができないという課題を有していた。また、優先順位が高いセンサがネットワークに複数接続されており、同時に優先順位が高いセンサ情報の通知が発生した場合には、やはりネットワークにおいて通知情報の衝突が発生し、親情報端末にリアルタイムで情報が通知されなかったり、情報の欠落が発生するという課題もある。特にセキュリティシステムでは、単体のセンサから連続してセンサ情報が送信されたり、複数のセンサが同時にセンサ情報の通知を行う可能性が高く、このような場合にはネットワーク上の通信トラフィックが増大し、通知情報が衝突する可能性が非常に高く、必要な情報が親情報端末に届く可能性が著しく低下する。
【０００７】
そこで本発明は、ネットワークを利用したセンサシステムにおいて、センサから通知が連続して発生した場合においても、効率良く必要な情報が親情報端末に届くシステムを容易に構築することを目的とする。
【課題を解決するための手段】
【０００８】
前記従来の課題を解決するために、本発明のセンサシステムは、検知したセンサ情報と、親情報端末への通知が失敗したセンサ情報とを蓄積するセンサ情報蓄積部と、前記センサ情報蓄積部に蓄積された再度通知すべきセンサ情報と最新のセンサ情報の優先順位の比較を行う優先順位判定部とをセンサ子機端末内部に備えたものである。
【０００９】
また、本発明の優先順位判定部は、複数入力されたセンサ情報の優先順位の自動判断も行うものとしたものである。
【００１０】
さらに、本発明のセンサ情報蓄積部は、再度通知するセンサ情報と最新のセンサ検知情報を比較し、同一センサの情報が更新された場合、古いセンサ情報を破棄し最新のセンサ情報を蓄積するものとしたものである。
【００１１】
これによって、親情報端末への通知が失敗した場合に、センサ情報蓄積部に蓄積されたセンサ情報と最新のセンサ情報とを優先順位に応じて親情報端末へ通知を行うセンサシステムとしたものである。
【発明の効果】
【００１２】
本発明のセンサ情報蓄積部と優先順位判定部を搭載したセンサシステムは、センサ情報を必要以上に親情報端末へ通知することを防ぐことにより、通信トラフィックの軽減を行うとともに、重要なセンサ情報をリアルタイムで親情報端末へ通知することができる。
【発明を実施するための最良の形態】
【００１３】
第１の発明は、センサ子機端末内部に、検知したセンサ情報と、親情報端末への通知が失敗したセンサ情報とを蓄積するセンサ情報蓄積部と前記センサ情報蓄積部に蓄積された再度通知すべきセンサ情報と最新のセンサ情報の優先順位の比較を行う優先順位判定部とを備え、センサ情報の通知が失敗した場合に、再度通知すべきセンサ情報と最新のセンサ情報の優先順位の比較を行うことにより、優先順位に応じてセンサ情報の通知を行うことが可能となる。つまり、再度通知すべきセンサ情報の優先順位が高い場合には、再度同じセンサ情報を親情報端末へ通知し、最新のセンサ情報の優先順位が高い場合には、失敗したセンサ情報より先に最新のセンサ情報を通知するものである。
【００１４】
第２の発明は、特に、第１の発明の優先順位判定部が、入力された複数のセンサ情報の優先順位の判定を行うことにより、同時に発生した複数のセンサからの入力情報を優先順位に応じて通知を行うことができる。
【００１５】
第３の発明は、特に、第１または第２の発明の優先順位判定部が搭載されたセンサシステムにおいて、センサ子機端末から通知したセンサ情報に対する親情報端末からの返信時間を計測する時間計測部を備えることにより、前記時間計測部からの情報により親情報端末からの応答を一定時間受信しなかった場合、通信失敗と判断することができ、親情報端末からセンサ子機端末へ受信応答を返信するセンサシステムにおいいても優先順位に応じてセンサ情報の通知を行うことができる。
【００１６】
第４の発明は、特に、第１から第３のいずれか１つの発明のセンサシステムに搭載された通信失敗判定部が、センサ子機端末から親情報端末へ通知直後に親情報端末から受信すべき情報とは異なる情報を受信した場合、親機情報端末が受信していないと判定することより、親情報端末からの返信を必要以上に待つことなく、再度通知処理を行うことができる。
【００１７】
第５の発明は、特に、第１から第４のいずれか１つの発明のセンサシステムに搭載されたセンサ情報蓄積部において、再度通知すべき情報と最新のセンサ検知情報を比較し、同一センサの情報が更新された場合、古いセンサ情報を破棄し最新のセンサ情報を蓄積することを可能とすることにより、必要以上にセンサ情報を親情報端末へ通知することを防ぎ、通信トラフィックを軽減することができる。
【００１８】
第６の発明は、特に、第１から第５のいずれか１つの発明のセンサシステムにおいて、通信失敗判定部６で判定されたセンサ子機端末から親情報端末へのセンサ情報の通知結果を報知する報知手段を備えることにより、管理者や使用者がネットワークシステムの通信安定性を評価することができる。
【００１９】
第７の発明は、特に、第１から第６のすくなくとも１つの発明を機能させるための構成として、コンピュータを全てもしくは一部として機能させるものであり、汎用コンピュータやマイクロコンピュータを用いて本発明の全てもしくは一部を容易に実現することができる。
【００２０】
以下、本発明の実施の形態について、図面を参照しながら説明する。なお、この実施の形態によって本発明が限定されるものではない。
【００２１】
（実施の形態１）
図１は、本発明の第１の実施の形態におけるセンサシステムの構成図を示したものである。
【００２２】
図１において、センサ子機端末１はセンサａ３１が検知したセンサ情報を通信手段５を使用して親情報端末２へ通知を行うセンサシステムであり、センサａ３１の信号を検知するセンサ検知手段４と、親情報端末２との通信失敗を判断する通信失敗判定部６と、センサ検知手段４で検知したセンサａ３１のセンサ情報と前記通信失敗判定部６で判断した通信失敗センサ情報を蓄積するセンサ情報蓄積部７と、前記センサ情報蓄積部７で蓄積されたセンサ情報の優先順位を判断する優先順位判定部８から構成される。
【００２３】
以上のように構成されたセンサシステムについて、以下その動作・作用を説明する。
【００２４】
まず、センサ検知手段４で検知したセンサａ３１のセンサ情報をセンサ情報蓄積部７に格納する。センサ情報蓄積部７は優先順位判定部８へ送信要求を通知し、送信要求を受けた優先順位判定部８はセンサ情報蓄積部７で格納されたセンサ情報を確認し、他にセンサ情報がない場合は前記センサ情報を通信失敗判定部６へ受け渡す。通信失敗判定部６は、前記センサ情報を通信手段５へ受け渡し、通信手段５から親情報端末２へ前記センサ情報を送信する。
【００２５】
通信失敗判定部６は、通信手段５で送信失敗が発生した場合、センサ情報蓄積部７へ再度通知を要求する。センサ情報蓄積部７は、再度優先順位判定部８へ送信要求を通知する。送信要求を受けた優先順位判定部８はセンサ情報蓄積部７で格納されたセンサ情報を確認し、他に最新のセンサ情報がある場合は前記センサ情報と最新のセンサ情報の比較を行い、最新のセンサ情報の方が優先順位が高い場合は最新のセンサ情報を通信失敗判定部６へ受け渡す。通信失敗判定部６は、前記センサ情報を通信手段５へ受け渡し、通信手段５から親情報端末２へ最新のセンサ情報を送信する。
【００２６】
通信失敗判定部６は、通信手段５で親情報端末２へ送信成功した場合は、センサ情報の再度通知は行わず、センサ情報蓄積部７へ送信終了通知を行う。センサ情報蓄積部７は通信失敗判定部６から送信終了通知を受信すると、蓄積していたセンサ情報を廃棄する。
【００２７】
以上のように、本実施の形態においては、センサ子機端末１の内部にセンサ情報蓄積部７と優先順位判定部８と通信失敗判定部６とを備え、センサ情報の通知が失敗した場合に、再度通知すべきセンサ情報と最新のセンサ情報の優先順位の比較を行い、これによって優先順位に応じてセンサ情報の通知を行うことが可能となる。
【００２８】
例えば、前記センサシステムをセキュリティシステムとして構築した場合、センサａ３１を開閉センサとすると、開閉センサから通知されるのは開情報と閉情報であり、セキュリティシステムにおいては開情報の通知が重要であり、閉情報の通知は重要でない。閉情報を送信する場合、センサ情報蓄積部７において蓄積されたセンサ情報から送信すべき閉情報をフラグを用いて送信中に設定する。通信失敗判定部６で親情報端末２への通知が失敗したと判断された場合、センサ情報蓄積部７に格納されており、送信中と設定された閉情報の送信中フラグを解除する。優先順位判定部８において、センサ情報蓄積部７に格納されたセンサ情報の内容を確認し、閉情報以外に開情報が格納されている場合は、閉情報の送信を行わず、開情報を先に送信する。また、通知に失敗した閉情報はセンサ情報蓄積部７から削除してもよいものとする。
【００２９】
以上のように、閉情報の通知に失敗し、センサ子機端末１から再度通知を行っている間に開情報を検知した場合は、開情報を優先的に通知することが可能となる。
【００３０】
なお、本実施の形態においては、通信手段５を別ＣＰＵで構成され、通信失敗判定部６と通信手段５において通信によりセンサ情報を受け渡す構成であっても有効である。
【００３１】
（実施の形態２）
図２は、本発明の第２の実施の形態におけるセンサシステムの構成図を示したものである。
【００３２】
図２において、センサ子機端末１は複数のセンサａ３１、センサｂ３２が検知したセンサ情報を親情報端末２へ通信手段５を使用して通知を行うセンサシステムであり、センサａ３１、センサｂ３２の信号を検知するセンサ検知手段４と、親情報端末２との通信失敗を判断する通信失敗判定部６と、センサ検知手段４で検知したセンサａ３１、センサｂ３２のセンサ情報と前記通信失敗判定部６で判断した通信失敗センサ情報とを蓄積するセンサ情報蓄積部７と、前記センサ情報蓄積部７で蓄積されたセンサ情報の優先順位を判断する優先順位判定部８から構成される。
【００３３】
以上のように構成されたセンサシステムについて、以下その動作・作用を説明する。
【００３４】
まず、センサ検知手段４で検知したセンサａ３１のセンサ情報をセンサ情報蓄積部７に格納する。センサ情報蓄積部７は優先順位判定部８へ送信要求を通知し、送信要求を受けた優先順位判定部８はセンサ情報蓄積部７で格納されたセンサ情報を確認し、他のセンサｂ３２からのセンサ情報がない場合は前記センサａ３１のセンサ情報を通信失敗判定部６へ受け渡す。通信失敗判定部６は、前記センサ情報を通信手段５へ受け渡し、通信手段５から親情報端末２へ前記センサａ３１のセンサ情報を送信する。
【００３５】
通信失敗判定部６は、通信手段５で送信失敗が発生した場合、センサ情報蓄積部７へ再度通知を要求する。センサ情報蓄積部７は、再度優先順位判定部８へ送信要求を通知する。送信要求を受けた優先順位判定部８はセンサ情報蓄積部７で格納されたセンサ情報を確認し、他のセンサｂ３２からの最新のセンサ情報がある場合は前記センサａ３１のセンサ情報とセンサｂ３２のセンサ情報の優先順位の比較を行い、センサｂ３２のセンサ情報の方が優先順位が高い場合はセンサｂ３２のセンサ情報を通信失敗判定部６へ受け渡す。通信失敗判定部６は、前記センサ情報を通信手段５へ受け渡し、通信手段５から親情報端末２へセンサｂ３２のセンサ情報を送信する。
【００３６】
通信失敗判定部６は、通信手段５で親情報端末２へ送信成功した場合は、センサ情報蓄積部７へ送信終了通知を行う。センサ情報蓄積部７は通信失敗判定部６から送信終了通知を受信すると、蓄積していたセンサｂ３２のセンサ情報を廃棄する。
【００３７】
以上のように、本実施の形態においては、前記実施の形態１において入力センサが複数の場合も、再度通知すべきセンサ情報と最新のセンサ情報の優先順位の比較を行い、これによって優先順位に応じてセンサ情報の再度通知を行うことが可能となる。
【００３８】
例えば、前記センサシステムをセキュリティシステムとして構築した場合、センサａ３１を開閉センサ、センサｂ３２を緊急コール等の身体異常検知センサとすると、セキュリティシステムにおいては開閉センサの情報の通知よりも、身体異常検知センサの通知が優先度が高い。開閉センサの情報の通知に失敗し、センサ子機端末１から再度通知を行っている間に身体異常検知センサの情報を検知した場合は、前記実施の形態１と同様に、優先順位判定部部８において、センサ情報蓄積部７に格納されたセンサ情報の内容を確認しセンサａからの情報であるかセンサｂからの情報であるかをフラグなどによって判断し、開閉センサの情報以外に身体異常検知センサの情報が格納されている場合は、開閉センサの再送を行わず、身体異常検知センサの情報を先に送信することにより、身体異常検知センサの異常通知情報を優先的に通知することが可能となる。また、通知に失敗した開閉センサの情報はセンサ情報蓄積部７から削除してもよいものとする。
【００３９】
なお、本実施の形態においては、センサａ３１とセンサｂ３１から同時にセンサ入力が発生した場合も、優先順位判定部８で検知した複数のセンサ情報の優先順位を判定することにより、複数センサの同時入力時にも優先順位に応じて通知を行うことが可能である。
【００４０】
さらに、本実施の形態においては、通信手段５を別ＣＰＵで構成され、通信失敗判定部６と通信手段５において通信によりセンサ情報を受け渡す構成であっても有効である。
【００４１】
またセンサは２つに限らず３つ以上であっても優先順位判定部８で検知した複数のセンサ情報の優先順位を判定することにより、複数センサの同時入力時にも優先順位に応じて通知を行うことが可能である。
【００４２】
（実施の形態３）
図３は、本発明の第３の実施の形態におけるセンサシステムの構成図を示したものである。
【００４３】
図３のシステム構成は、図２で示す通信失敗判定部６に、親情報端末２からの受信すべき応答の返信時間を計測する時間計測部９を搭載した構成である。
【００４４】
ここで、第３の実施の形態におけるセンサシステムは図４の通信シーケンス図に示すようにセンサ子機端末１からセンサａ３１の通知情報であるセンサａ情報１３１の通知に対して、通知が成功した場合、親情報端末２から受信応答であるセンサａ受信応答１３２が送信され、センサｂ３２の通知情報であるセンサｂ情報１３３の通知に対して、通知が成功した場合、親情報端末２から受信応答であるセンサｂ受信応答１３４が送信されるものとする。
【００４５】
以上のように構成されたセンサシステムについて、以下その動作・作用を説明する。
【００４６】
まず、センサ検知手段４で検知したセンサａ３１のセンサ情報をセンサ情報蓄積部７に格納する。センサ情報蓄積部７は優先順位判定部８へ送信要求を通知し、送信要求を受けた優先順位判定部８はセンサ情報蓄積部７で格納されたセンサ情報を確認し、他のセンサｂ３２からのセンサ情報がない場合は前記センサａ３１のセンサ情報を通信失敗判定部６へ受け渡す。通信失敗判定部６は、時間計測部９において親情報端末２から受信応答を受信するまでの時間計測を開始するとともに前記センサ情報を通信手段５へ受け渡し、通信手段５から親情報端末２へ前記センサａ３１のセンサ情報を送信する。
【００４７】
通信失敗判定部６は、時間計測部９において計測される一定時間内に親情報端末２から受信すべき応答を受信しなかった場合、通信失敗と判断し、センサ情報蓄積部７へ再度通知を要求する。センサ情報蓄積部７は、再度優先順位判定部８へ送信要求を通知する。送信要求を受けた優先順位判定部８はセンサ情報蓄積部７で格納されたセンサ情報を確認し、他のセンサｂ３２からの最新のセンサ情報がある場合は前記センサａ３１のセンサ情報とセンサｂ３２のセンサ情報の優先順位の比較を行い、センサｂ３２のセンサ情報の方が優先順位が高い場合はセンサｂ３２のセンサ情報を通信失敗判定部６へ受け渡す。通信失敗判定部６は、再度時間計測部９において親情報端末２から受信応答を受信するまでの時間計測を開始するとともに前記センサ情報を通信手段５へ受け渡し、通信手段５から親情報端末２へセンサｂ３２のセンサ情報を送信する。
【００４８】
通信失敗判定部６は、親情報端末２から受信応答を受信すると、時間計測部９において時間計測を停止させ、センサ情報蓄積部７へ送信終了通知を行う。センサ情報蓄積部７は通信失敗判定部６から送信終了通知を受信すると、蓄積していたセンサｂ３２のセンサ情報を廃棄する。
【００４９】
以上のように、本実施の形態においては、通信失敗判定部６内部に時間計測部９を備え、センサ子機端末１からのセンサ情報の通知に対して、通知が成功した場合、親情報端末２から受信応答が送信されるセンサシステム（異常情報を通知するシステムにおいては、確実に親情報端末２へ届かせるために、親情報端末２から受信応答を返信するシステムが多い）においても、再度通知すべきセンサ情報と最新のセンサ情報の優先順位の比較を行い、これによって優先順位に応じてセンサ情報の再度通知を行うことが可能となる。
【００５０】
また、本実施の形態の通信失敗判定部６において、受信すべき情報とは異なる情報を受信した場合、親機情報端末２が受信した形跡がないことを判断させることにより、親情報端末からの返信を必要以上に待つことなく、自動的に再度通知処理を行うことができる。
【００５１】
つまり、図５の通信シーケンスに示すように、センサｂ３２の通知情報であるセンサｂ情報１３３を送信した直後に、親情報端末２から受信すべき応答電文と異なるセンサａ受信応答１３２を親情報端末２から受信した場合、親機情報端末２が受信していない（通信失敗）と判断させ、時間計測部９の時間計測を停止させ、センサ情報蓄積部７へ再度通知を要求することにより、センサｂ情報１３３の再度通知処理を行うことが可能となる。
【００５２】
また、本実施の形態のセンサ情報蓄積部７において、検知したセンサ情報を蓄積し、再度通知する情報と最新のセンサ検知情報を比較し、同一センサの情報が更新された場合、古いセンサ情報を破棄することにより、必要以上にセンサ情報を親情報端末へ通知することを防ぎ、通信トラフィックを軽減することができる。
【００５３】
つまり、図６の通信シーケンスに示すように、センサ子機端末１においてセンサの状態Ａ検知信号１３８ａを検知し、センサ情報Ａ１３５を親情報端末２へ送信し、親情報端末２から受信応答であるセンサ受信応答Ａ１３６を受信するまでの間に、センサの状態Ｂ検知信号１３９ａと、状態Ａ検知信号１３８ｂと、状態Ｂ検知信号１３９ｂと連続して同一センサの情報を検知した場合、古いセンサ情報である状態Ｂ検知信号１３９ａと状態Ａ検知信号１３８ａとを破棄し、最新のセンサ情報である状態Ｂ検知信号１３９ｂを蓄積し、次のセンサの情報としてセンサ情報Ｂ１３７を送信することができる。
【００５４】
さらに、本実施の形態においては、通信手段５を別ＣＰＵで構成され、通信失敗判定部６と通信手段５において通信によりセンサ情報を受け渡す構成であっても有効である。
【００５５】
（実施の形態４）
図７は、本発明の第４の実施の形態におけるセンサシステムの構成図を示したものである。
【００５６】
図７において、センサ子機端末１は複数のセンサａ３１、センサｂ３２が検知したセンサ情報を親情報端末２へ通信手段５を使用して通知を行うセンサシステムであり、センサａ３１、センサｂ３２の信号を検知するセンサ検知手段４と、親情報端末２との通信失敗を判断する通信失敗判定部６と、親情報端末２からの受信すべき応答の返信時間を計測する時間計測部９と、センサ検知手段４で検知したセンサａ３１、センサｂ３２のセンサ情報と前記通信失敗判定部６で判断した通信失敗センサ情報を蓄積するセンサ情報蓄積部７と、前記センサ情報蓄積部７で蓄積されたセンサ情報の優先順位を判断する優先順位判定部８と、前記通信失敗判定部６で判定された親情報端末２への通信失敗情報を表示する外部表示手段１０から構成される。ここで、前記センサシステムは図４の通信シーケンス図に示すようにセンサ子機端末１からセンサａ３１の通知情報であるセンサａ情報１３１の通知に対して、通知が成功した場合、親情報端末２から受信応答であるセンサａ受信応答１３２が送信され、センサｂ３２の通知情報であるセンサｂ情報１３３の通知に対して、通知が成功した場合、親情報端末２から受信応答であるセンサｂ受信応答１３４が送信されるものとする。
【００５７】
以上のように構成されたセンサシステムについて、以下その動作・作用を説明する。
【００５８】
まず、センサ検知手段４で検知したセンサａ３１のセンサ情報をセンサ情報蓄積部７に格納する。センサ情報蓄積部７は優先順位判定部８へ送信要求を通知し、送信要求を受けた優先順位判定部８はセンサ情報蓄積部７で格納されたセンサ情報を確認し、他のセンサｂ３２からのセンサ情報がない場合は前記センサａ３１のセンサ情報を通信失敗判定部６へ受け渡す。通信失敗判定部６は、時間計測部９において親情報端末２からセンサａ受信応答１３２を受信するまでの時間計測を開始するとともに前記センサ情報を通信手段５へ受け渡し、通信手段５から親情報端末２へ前記センサａ３１のセンサ情報であるセンサａ情報１３１を送信する。
【００５９】
通信失敗判定部６は、時間計測部９において一定時間内に親情報端末２から受信すべきセンサａ受信応答１３２を受信しなかった場合、通信失敗と判断し、センサ情報蓄積部７へ再度通知要求を行い、外部表示手段１０へ通信失敗情報を出力する。センサ情報蓄積部７は、再度優先順位判定部８へ送信要求を通知する。送信要求を受けた優先順位判定部８はセンサ情報蓄積部７で格納されたセンサ情報を確認し、他のセンサｂ３２からのセンサ情報がある場合は前記センサａ３１のセンサ情報とセンサｂ３２のセンサ情報の比較を行い、センサｂ３２のセンサ情報の方が優先順位が高い場合はセンサｂ３２のセンサ情報を通信失敗判定部６へ受け渡す。通信失敗判定部６は、再度時間計測部９において親情報端末２から受信応答を受信するまでの時間計測を開始するとともに前記センサ情報を通信手段５へ受け渡し、通信手段５から親情報端末２へセンサｂ３２のセンサ情報であるセンサｂ情報１３３を送信する。
【００６０】
通信失敗判定部６は、親情報端末２からセンサｂ３２の受信応答であるセンサｂ受信応答１３４を受信すると、時間計測部９において時間計測を停止させ、センサ情報蓄積部７へ送信終了通知を行う。センサ情報蓄積部７は通信失敗判定部６から送信終了通知を受信すると、蓄積していたセンサｂ３２のセンサ情報を廃棄する。
【００６１】
以上のように、本実施の形態においては、前記実施の形態１から実施の形態３において通信失敗判定部６で判定された通信結果を外部表示手段１０へ出力することにより、システムの管理者や使用者が通信失敗回数、通信失敗内容を容易に把握することができ、ネットワークシステムの通信安定性を評価することができる。
【００６２】
なお表示の他に音によって報知するような報知手段であってもよい。
【００６３】
また、本実施の形態においては、通信手段５を別ＣＰＵで構成され、通信失敗判定部６と通信手段５において通信によりセンサ情報を受け渡す構成であっても有効である。
【００６４】
（実施の形態５）
次に本発明の実施の形態５について図７を用いて説明する。本実施例は、コンピュータを、センサ検知手段４と、通信手段５と、通信失敗判定部６と、センサ情報蓄積部７と、優先順位判定部８と、時間計測部９の全てもしくは一部として機能させるためのプログラムとする構成として、コンピュータを全てもしくは一部として機能させるものである。
【００６５】
以上のように本実施例によれば、汎用コンピュータやサーバーを用いて本発明の全てもしくは一部を容易に実現することができる。
【産業上の利用可能性】
【００６６】
以上のように本発明にかかるセンサシステムは、通信における優先順位を判断する優先順位判定部を有しており、センサ以外の家電機器で構成される通信ネットワーク分野においても適応可能である。
【図面の簡単な説明】
【００６７】
【図１】本発明の実施の形態１におけるセンサシステムの構成図
【図２】本発明の実施の形態２におけるセンサシステムの構成図
【図３】本発明の実施の形態３におけるセンサシステムの構成図
【図４】本発明の実施の形態３におけるセンサシステムの通信シーケンス図
【図５】本発明の実施の形態３におけるセンサシステムの第２の通信シーケンス図
【図６】本発明の実施の形態３におけるセンサシステムの第３の通信シーケンス図
【図７】本発明の実施の形態４におけるセンサシステムの構成図
【図８】従来のセンサシステムの構成図
【符号の説明】
【００６８】
１  センサ子機端末
２  親情報端末
４  センサ検知手段
５  通信手段
６  通信失敗判定部
７  センサ情報蓄積部
８  優先順位判定部
９  時間計測部
１０  外部表示手段（報知手段）
１２  通信アダプタ
３１  センサａ
３２  センサｂ
１１１  侵入検知センサ
１１２  火災検知センサ
１１３  身体異常検知センサ
１３１  センサａ情報
１３２  センサａ受信応答
１３３  センサｂ情報
１３４  センサｂ受信応答
１３５  センサ情報Ａ
１３６  センサ受信応答Ａ
１３７  センサ情報Ｂ
１３８  状態Ａ検知信号
１３９  状態Ｂ検知信号
【図１】
2005071007.tif 000003
【図２】
2005071007.tif 000004
【図３】
2005071007.tif 000005
【図４】
2005071007.tif 000006
【図５】
2005071007.tif 000007
【図６】
2005071007.tif 000008
【図７】
2005071007.tif 000009
【図８】
2005071007.tif 000010